(57)【特許請求の範囲】
【請求項１】
内部に揮散剤を収容している内ケースと、該内ケースを内部空間に収容可能な直方体形状の外ケースとを含み、更に前記内ケースには揮散剤放出用の内側開口部、前記外ケースの少なくとも正面には大気放出用の外側開口部が設けてある、揮散剤容器であって、
前記内ケースは、複数の面をもって外形形状が画定してあると共に、その一部を切欠いて誤セット防止用の凹部が設けられており、
前記外ケースには、前記凹部に対応して、前記内部空間内に突出するようにして誤セット防止用リブが設けられており、前記内ケースが一定姿勢である場合に限り、前記誤セット防止用の凹部が前記誤セット防止用リブに対応して挿入可能とされていると共に、前記内ケースが前記内部空間に収納された後には前記内側開口部と外側開口部とが対向するように設定してあり、
前記外ケースの外側開口部が設けられた正面には、位置規制リブが設けられると共に、該正面と対向する前記外ケースの背面には、前記誤セット防止用リブが設けられており、前記内ケースが前記内部空間に収納された後には、前記位置規制リブが前記内ケースの前面側に当接して該前面側の前後方向位置を規制すると共に前記誤セット防止用リブが前記誤セット防止用の凹部に当接して前記内ケースの背面側の前後方向位置を規制することで、前記内ケースの前後方向での位置決めを行うように設定してあり、
前記外ケースの背面には、前記内ケースの側面に当接して左右方向での位置決めを行う更なる位置規制リブが設けられており、
更に前記内部空間を閉じる底蓋部が着脱自在に設けてある、ことを特徴とする揮散剤容器。
【請求項２】
前記内ケースは直方体形状であって、
前記外ケースの天面にも前記外側開口部が設けてあると共に、該外ケースの内部空間に収容された前記内ケースについても前記外ケースに応じた２つの面に、前記外側開口部と対向する前記内側開口部が設けてある、ことを特徴とする請求項１に記載の揮散剤容器。
【請求項３】
前記底蓋部には前記揮散剤が内ケースから漏れ出たときに外部への漏出を防止する回収部が設けてある、ことを特徴とする請求項１または２に記載の揮散剤容器。
【請求項４】
前記内ケースが、レフィル容器である請求項１〜３のいずれかに記載の揮散剤容器。
【発明の詳細な説明】
【技術分野】
【０００１】
本発明は、芳香剤、消臭剤等の揮散する成分を含む揮散剤を充填した揮散剤容器に関する。より詳細には、外観をなす外ケースの内側に、揮散剤を収容した内ケースを配置してある構造とし、揮散剤の効果が失われた際には内ケースが交換可能である揮散剤容器に関する。
【背景技術】
【０００２】
芳香剤、消臭等の揮散剤を内容物として充填してある容器は、例えばその内容物が室温程度で気化するものであり口部に揮散器が取り付けてあり、該揮散器を通して内容物を揮散させることが一般に行われている（例えば特許文献１参照）。この種の容器にあっては、環境保護などの観点から内容物を使い切ったとき、詰替えが行えるように設計されたものが提供されている。
さらには、この種の揮散剤容器については、室内に置いたときの美観などにも配慮した形態が種々提案されている。すなわち、外観を美的に整えた外ケースに、揮散剤を収容した内ケースを着脱自在に設けて、環境保護と共に室内インテリアにも配慮した揮散剤容器が提供されるようになっている。
【先行技術文献】
【特許文献】
【０００３】
【特許文献１】特開２００５−１３１０２１号公報
【発明の概要】
【発明が解決しようとする課題】
【０００４】
上記のような揮散剤容器では、揮散剤が無くなったとき、揮散剤を収納していた古い内ケースを抜き取って、新たな内ケースに詰め替えをする必要がある。この詰め替え作業が面倒であったり、内ケースを誤った姿勢で外ケース内にセットする可能性があると、揮散剤容器としての商品価値が低下してしまう。
例えば、内ケース側に設けた揮散剤放出用の開口部（内側開口部）と、外ケース側に設けた大気放出用の開口部（外側開口部）とを、所定の位置関係に設定することで揮散剤の放出効果を促進するように設計してある揮散剤容器にあって、内ケースのセット姿勢を誤ると期待した揮散剤による効果が得られないことにもなる。よって、詰め替えの際には、外ケース内に内ケースを簡易、確実にセットできる揮散剤容器を提供することが望まれる。
【０００５】
よって、本発明の目的は、芳香剤、消臭剤等の揮散剤を充填した内ケースの交換を簡単に、かつ、確実に行うことができる、新規な揮散剤容器を提案するところにある。
【課題を解決するための手段】
【０００６】
本発明の目的は、内部に揮散剤を収容している内ケースと、該内ケースを内部空間に収容可能な直方体形状の外ケースとを含み、更に前記内ケースには揮散剤放出用の内側開口部、前記外ケースの少なくとも正面には大気放出用の外側開口部が設けてある、揮散剤容器であって、
前記内ケースは、複数の面をもって外形形状が画定してあると共に、その一部を切欠いて誤セット防止用の凹部が設けられており、
前記外ケースには、前記凹部に対応して、前記内部空間内に突出するようにして誤セット防止用リブが設けられており、前記内ケースが一定姿勢である場合に限り、前記誤セット防止用の凹部が前記誤セット防止用リブに対応して挿入可能とされていると共に、前記内ケースが前記内部空間に収納された後には前記内側開口部と外側開口部とが対向するように設定してあり、
前記外ケースの外側開口部が設けられた正面には、位置規制リブが設けられると共に、該正面と対向する前記外ケースの背面には、前記誤セット防止用リブが設けられており、前記内ケースが前記内部空間に収納された後には、前記位置規制リブが前記内ケースの前面側に当接して該前面側の前後方向位置を規制すると共に前記誤セット防止用リブが前記誤セット防止用の凹部に当接して前記内ケースの背面側の前後方向位置を規制することで、前記内ケースの前後方向での位置決めを行うように設定してあり、
前記外ケースの背面には、前記内ケースの側面に当接して左右方向での位置決めを行う更なる位置規制リブが設けられており、
更に前記内部空間を閉じる底蓋部が着脱自在に設けてある揮散剤容器により達成される。
【０００８】
また、前記内ケースは直方体形状であって、前記外ケースの天面にも前記外側開口部が設けてあると共に、該外ケースの内部空間に収容された前記内ケースについても前記外ケースに応じた２つの面に、前記外側開口部と対向する前記内側開口部が設けてある構造とするのがより好ましい。
【０００９】
また、前記底蓋部には前記揮散剤が内ケースから漏れ出たときに外部への漏出を防止する回収部が設けてある構造とするのが更に、好ましい。
そして、前記内ケースはレフィル容器とすることができる。
【発明の効果】
【００１０】
本発明によると、内ケースに誤セット防止用の凹部が設けられ、外ケースにはこの凹部に対応して内部空間内に突出するようにして誤セット防止用リブが設けられており、内ケースが一定姿勢である場合に限って、収納できる。そして、内ケースが外ケースの内部空間に収納されたときに、内ケースの内側開口部と外ケースの外側開口部とが対向するように設定してある。よって、本発明の揮散剤容器は、簡単、確実に内ケースの詰め替え作業を行えて、詰め替えた完了したときには内ケースの内側開口部と外ケースの外側開口部とが対向するようになる。これにより、本発明の揮散剤容器は簡単、確実に内ケースを交換でき、そのとき開口部の位置も合わせることができるので期待した揮散剤の効果を確実に得ることができる。
【図面の簡単な説明】
【００１１】
【図１】本発明に従う揮散剤容器の実施の形態を示した図であり、外観となる外ケースの正面である。
【図２】図１に示す揮散剤容器の平面であり、内部構成も示した図である。
【図３】図１に示す揮散剤容器につきＸ−Ｘ矢視での構成を模式的に示した断面構成図である。
【図４】図１に示す揮散剤容器を正面から見た一部断面図で、内ケースの状態も合わせて示している図である。
【図５】図１に示す揮散剤容器の底面図である。
【図６】外ケース内の内部空間に、内ケースをセットするときの様子を模式的に示した斜視図である。
【発明を実施するための形態】
【００１２】
以下、図面を参照して、本発明をより具体的に説明する。
図１は、本発明に従う揮散剤容器の実施の形態を示した図であり、外観となる外ケースの正面である。図２は、図１に示す揮散剤容器（外ケース）の天面の様子を示した平面であり、内部構成を点線で示している図である。図３は、図１に示す揮散剤容器につきＸ−Ｘ矢視での構成を模式的に示した断面構成図である。図４は、図１に示す揮散剤容器の正面断面図であり、内部にセットされる内ケースの状態を２点鎖線で示した図である。図５は、図１に示す揮散剤容器の底面図である。
【００１３】
図１で、揮散剤容器１の外観をなす外ケース１０の正面（一側面）には、内部空間内に収納する内ケースの揮散剤を大気に放出するための開口部（以下、外側開口部１１と称す）が形成してある。この外側開口部１１は複数のプラスマークをアレンジして配置するもので、美的な処理が施されている。
この外側開口部１１は、後述する内ケースに設ける揮散剤を放出するための開口部（以下、内側開口部と称す）と対向するように配置すると、揮散剤の芳香・消臭効果を効率よく作用させることができる好ましい構造となる。
【００１４】
図１で、外ケース１０の下側には底蓋部１２が着脱自在に嵌合されている。外ケース１０は、その形状は大よそにおいて直方体形状であって、その内部空間も同様に直方体形状であり、この内部空間に内ケースが収納されている。内部空間は下側にて開放されており、この開放部分に底蓋部１２が嵌合されている。
図５は、揮散剤容器の底面図であり、外ケース１０の開放部分に底蓋部１２が嵌合した状態を示した図となる。底蓋部１２には、一対の指掛け部１３ａ、１３ｂが形成してある。更に、揮散剤容器の背面図である図４を参照すると、この図４にも指掛け部１３ａ、１３ｂを示している。
【００１５】
これら指掛け部１３ａ、１３ｂそれぞれの基部側の両側部には、弾性変形可能なバネ部材１４ａ、１４ｂが一対ずつ配置されている。そして、図４で示すように、指掛け部１３ａ、１３ｂそれぞれの基部には、外ケース１０側に設けた凹部１０ａ、１０ｂに嵌合する外向きの凸部１５ａ、１５ｂが設けてある。
よって、指掛け部１３ａ、１３ｂに、例えば親指と人差し指を掛けて、図５で示している矢印のように内向きに力を作用させると、基部に設けた凸部１５ａ、１５ｂが外ケース１０側に設けた凹部１０ａ、１０ｂから外れるので、外ケース１０から底蓋部１２を簡単に外して、外ケース１０内の内部空間を臨むことできる。そして、底蓋部１２を外すのは、内部空間に収納している内ケースの揮散剤を使い切ったときの、詰め替え作業時ということになる。
【００１６】
詰め替え時に、内ケース３０を引き出して、新たな内ケース３０を差し込むことになるが、誤った姿勢で内ケース３０を外ケース１０側にセットしようとしても、本願発明の揮散剤容器は、このような誤セットを防止する構造が設けてある。
以下では、更に上掲の図１〜図５を参照して、本願発明の揮散剤容器にかかる特徴的な構造を説明する。
【００１７】
揮散剤容器１の平面を示した図２、側面側から見た構成を示している図３、及び正面側から見た一部断面の構成を示している図４には、外ケース１０の揮散剤容器１にセットされた状態の内ケース３０が示されている。
下記説明での理解を容易とするため、更に、図６を参照する。この図６は、外ケース１０内の内部空間ＳＰに、内ケース３０をセットするときの様子を模式的に示した斜視図である。
図６で示すように、内ケース３０は、外ケース１０の内部空間ＳＰに応じて、４つの側面３０ａ〜３０ｄで取り囲まれた空間の一方を底面３０ｅで閉じることで形作られた、大よそ直方体形状とされている。ただし、ここで例示するものは、側面３０ａ〜３０ｄがそれぞれ底部側（外ケース１０内にセットされた状態では背面側、図２で右側）に向うに従って若干、縮径して角部を丸く形成した形状になっている。
【００１８】
内ケース３０は、内部に揮散剤ＶＳを収容する収容空間を有するものであれば特に、その形状に限定はないが、外ケース１０の内部空間ＳＰ内にセットされたときに、位置規制し易い様に複数の面をもって画定されている形状（直方体など）とするのが好ましい。図６は内部空間ＳＰに応じて大よそ直方体形状とした内ケース３０の内部が確認できるように上部を開放した状態とし、内部に揮散剤ＶＳを収納している様子を例示している。なお、この揮散剤ＶＳは、一例として示したもので形態は特に限るものではなく、揮散薬剤を含浸させたシート材を蛇腹状に折り畳んだものなどを採用してもよい。また、内ケース３０の上縁部３２が環状に外側へ張り出したフランジ状としているが、これも一例であり、これに限るものではない
【００１９】
そして、この図６で示すように、内ケース３０にはその一部に誤セット防止用の凹部３５が形成してある。
例示の場合は、内ケース３０右下の奥側に長溝状に切欠いた凹部３５が形成してある。そして、外ケース１０側には、この誤セット防止用の凹部３５に対応して、内部空間ＳＰ内に突出するようにして誤セット防止用リブ１６が設けられている。この誤セット防止用リブ１６は、内ケース３０が挿入されたとき、凹部３５に対応する位置にあって、その長さ、幅、高さが凹部３５に収まる大きさに設定してある。ここで例示の場合、誤セット防止用リブ１６の高さ１６ｈは、凹部３５の高さと同じとしてある。これは、後述するように、内ケース３０をセットした後の位置規制機能も兼ねるように設計してあるためである。また、誤セット防止用リブ１６先端の突き当たり側は、図３で示すように、曲線で構成された案内用の傾斜部１６ｒが形成されている。
【００２０】
上記のような構成を有する揮散剤容器１では、詰め替え作業などにあたり、外ケース１０の内部空間ＳＰ内に内ケース３０をセットするときに、図６で例示しているような内ケース３０の一定姿勢とは異なる、誤った姿勢で挿入しようとしても誤セット防止用リブ１６が邪魔となるのでセットできない。上記した構成の揮散剤容器１によると、詰め替え作業時に内ケース３０を外ケース１０に簡単、確実にセットできる。
【００２１】
ところで、例示では、内ケース３０側には、内部に保持した揮散剤ＶＳの放出用の内側開口部３１が所定の面（図６では奥側の側面３０ａに形成してあり、外ケース１０側には対向する面１０ｃ（図１の立姿勢では、天面１０ｃ）に外側開口部１７が形成してある。このように内ケース３０セット後に、内ケース３０側の内側開口部３１と外ケース１０側の外側開口部１７が対向するように設計しておくと、揮散剤ＶＳを効率良く周辺に揮散させることができる。
【００２２】
更に、前述したように外ケースの正面（側面）には外側開口部１１が設けてある。図６では、内ケース３０の内部に配置した揮散剤ＶＳが確認できるように開放した状態で示している。しかし、実際の内ケース３０では、この開放部は、環状となる上縁部３２に固定されたシート部材によって覆われることで塞がれた状態とされる。
ここで、上記シート部材は、例えば開口部を設けたフィルム材（窓付フィルム）と、その上を覆う密閉用フィルム材とのフィルム２層構成で形成するのが好ましい。このようにフィルム２層構成とした場合、上を覆う密閉用フィルム材を剥がせば、下側の窓付フィルム側の開口部を開放して揮散剤の放出を行える。これにより、内ケース３０を２つの面に開口部を備えた構造とすることができる。
上述したように、外ケース１０の天面および側面（例示の場合は正面）には、外側開口部（１７、１１）が設けてある。そして、この外ケース１０の内部空間ＳＰに収容された内ケース３０の２つの面（図６で、３０ａと開口を塞ぐ面）は、外ケース１０の天面および正面に応じて設定するのが好ましい。すなわち、外側開口部（１１、１７）と対向させて、内ケース３０側に設けた２面の内側開口部を設定する。
このように外ケース１０と内ケース３０とが２つ面で共に、開口部を対向させる構造とすると内ケース３０に収容した揮散剤をより確実、効果的に周辺環境に放出できる。しかも、この２組の外・内側開口部が互いに対向する配置は、前述した凹部３５とリブ１６とによる誤セット防止用構造によって、これが確実に実現される。
【００２３】
更に、揮散剤容器１が備えている好ましい構成を説明する。図２、図３、図４において、符号１８、符号１９で示すのは、内部空間ＳＰに収納されセットされ
たとき、内ケース３０を所定位置に位置決めするための位置規制リブである。これにより、図１で示すように立てたときに、前後、左右の位置決めがされる。
具体的には、図４で示すように、位置規制リブ１８は内ケース３０の側面に当接することで、内ケース３０が外ケース１０の右内壁に押し付ける状態を形成する。これにより左右方向での位置決めが実現される。
そして、図３で示すように、位置規制リブ１９は内ケース３０の前面側に当接し、背面側については前述した誤セット防止用リブ１６が位置規制の機能を兼ねている。これにより前後方向での位置決めが実現される。
【００２４】
更に、図３、図４で示すように、上下方向にあって、底蓋部１２に立ち上げた複数のリブ４０により、内ケース３０の下面の一部が当接することで位置決めされている。このように位置規制リブとしてリブ４０を設けることにより、上下についても内ケース３０が位置決めされ、そして安定に保持される。
【００２５】
また、着脱自在に配置されている底蓋部１２には、揮散剤ＶＳが液状の成分を含むような場合で、内ケース３０からその揮散剤ＶＳの一部が漏れ出たときに、これが外部へ漏れ出すのを防止するため、図３において符号４１で示す揮散剤回収部が設けおくのが望ましい。この揮散剤回収部４１は前述したリブ４０を流用して、凹部状の溝構造に形成したもので、この溝部内に漏れでた揮散剤ＶＳを回収するようにしたものである。
【００２６】
なお、前述した内ケース３０として、揮散剤を収納しているレフィル容器を予め準備し、これを提供するようにすれば、揮散剤容器の詰め替えが簡単に行える。
【産業上の利用可能性】
【００２７】
本発明によれば、芳香剤、消臭等の揮散剤を収容している内ケースの交換を、外ケース内の内部空間の所定位置に、簡単、確実にセットできる揮散剤容器を提供できる。これにより、期待した揮散剤の効果を確実に得ることもできる。
【符号の説明】
【００２８】
１                    揮散剤容器
１０                  外ケース
１１                  外側開口部
１２                  底蓋部
１７                  外側開口部
１６                  誤セット防止用リブ
３０                  内ケース
３１                  内側開口部
３５                  誤セット防止用の凹部
１８、１９、４０      位置規制リブ
ＳＰ                  内部空間
ＶＳ                  揮散剤
【図１】
0005748973.tif 000002
【図２】
0005748973.tif 000003
【図３】
0005748973.tif 000004
【図４】
0005748973.tif 000005
【図５】
0005748973.tif 000006
【図６】
0005748973.tif 000007